(57)【要約】      （修正有）【課題】裏側矯正用の歯列矯正装置として、施術が容易であり、従来の鋳造品に比べ安価に製造でき、かつ装着状態においてブラケットにより舌先を傷つける恐れがない歯列矯正装置を提供する。【解決手段】ブラケット２を、歯の裏面に接着される底板部４及び一対の支持壁５を備えたベース部材４と、両端部が支持壁５に形成されたピン溝８に嵌合して固定される略Ｃ型断面のロックピン６と、内面がロックピン６の外面に軸回りに回動可能な略Ｃ型断面のインロック部材７とで構成する。ロックピン６とインロック部材７の略Ｃ型断面の開口部を合わせた状態で歯列矯正用のワイヤーをロックピン６の内側に嵌め込み、インロック部材７をロックピン６の軸回りに回動させることによりワイヤーを覆う。ワイヤーの外側にインロック部材７の滑らかな外周面が位置することで、ブラケット２により患者の舌先が傷つくのを防止することができる。【選択図】図３
0003205166.tif 000002
【実用新案登録請求の範囲】
【請求項１】
歯列を構成する各歯の裏面に接着される複数のブラケットと前記ブラケット間に架け渡される矯正用のワイヤーとからなる歯列矯正装置において、
前記ブラケットは、
歯の裏面に接着される底板部と該底板部の前記ワイヤーの延長方向両端部から立ち上がる一対の支持壁とを備えたベース部材と、
両端部が前記ベース部材の支持壁に形成されたピン溝に嵌合して固定される略Ｃ型断面のロックピンと、
内面が前記ロックピンの外面に軸回りに回動可能な略Ｃ型断面のインロック部材と、
を備え、
前記ロックピンと前記インロック部材の略Ｃ型断面の開口部を合わせた状態で該開口部の側方から前記ワイヤーをロックピンの内側に嵌め込み、前記インロック部材の軸回りに回動させることにより前記ワイヤーをカバーできるようにしたことを特徴とする歯列矯正装置。
【請求項２】
請求項１記載の歯列矯正装置において、前記ベース部材の底板部の一側にパワーチェーンの孔部を係止するための係止突起が設けられていることを特徴とする歯列矯正装置。
【考案の詳細な説明】
【技術分野】
【０００１】
本考案は、金属ブラケット及びワイヤーを歯列の裏側に装着する裏側矯正に用いる歯列矯正装置に関するものである。
【背景技術】
【０００２】
ブラケットとワイヤーを用いた歯列矯正装置による歯列矯正としては、金属ブラケットによる表側矯正が一般的であるが、金属ブラケットの表側矯正は矯正装置が目立つことから、審美的な観点から装置が目立たないようにしたものとしては、白や透明色の審美ブラケットによる表側矯正、金属ブラケット及びワイヤーを歯列の裏側に装着する裏側矯正、表側矯正と裏側矯正を併用するハーフリンガル矯正などがある。
【０００３】
図５は金属ブラケット２２を用いた歯列矯正装置２１の従来例を示したものである。
【０００４】
この例ではブラケット２２が歯の裏面に接着される底板部２４とその両端部から立ち上がる一対の支持壁２５とを備えたベース部材２３と、上面を覆うカバー部材２７とで中空に構成され、両端の支持壁２５に矯正用のワイヤーｗを通すための貫通孔２８が形成されている。
【先行技術文献】
【特許文献】
【０００５】
【特許文献１】特開２００１−１０４３４０号公報
【特許文献２】特開２００３−０７０８０８号公報
【特許文献３】特開２００５−２４５９１９号公報
【特許文献４】特開２０１０−２７４１１０号公報
【考案の概要】
【考案が解決しようとする課題】
【０００６】
前述した図５の従来例の場合、ワイヤーｗの端部をブラケット２２の２つの支持壁２５の貫通孔２８に通す必要があるため、施術が容易でない。特にブラケット２２を歯の裏側に接着する裏側矯正の場合、施術が非常に困難となる。
【０００７】
また、裏側矯正用に実用化されている金属ブラケットとしては、ワイヤーを係止するための下からの斜めの溝を有する複雑な形状のブラケットを鋳造により製作するものがあるが、ブラケット自体が歯に接着される非常に小さなものである上に、細いワイヤーを係止するための溝も非常に細かい溝となるため、鋳造用の型の製造コストが非常に高くつくという課題がある。
【０００８】
本考案の歯列矯正装置は、上述のような背景のもとに考案されたものであり、裏側矯正用の歯列矯正装置として、施術が容易であり、従来の鋳造品に比べ安価に製造でき、かつ装着状態においてブラケットにより舌先を傷つける恐れがない歯列矯正装置を提供することを目的としている。
【課題を解決するための手段】
【０００９】
本考案は、歯列を構成する各歯の裏面に接着される複数のブラケットとブラケット間に架け渡される矯正用のワイヤーとからなる歯列矯正装置において、ブラケットが、歯の裏面に接着される底板部とその底板部のワイヤーの延長方向両端部から立ち上がる一対の支持壁とを備えたベース部材と、両端部がベース部材の支持壁に形成されたピン溝に嵌合して固定される略Ｃ型断面のロックピンと、内面がロックピンの外面に軸回りに回動可能な略Ｃ型断面のインロック部材とを備え、ロックピンとインロック部材の略Ｃ型断面の開口部を合わせた状態で開口部の側方からワイヤーをロックピンの内側に嵌め込み、インロック部材の軸回りに回動させることによりワイヤーをカバーできるようにしたことを特徴とするものである。
【００１０】
上記の構成において、ロックピンは略Ｃ型断面の内側に矯正用のワイヤーをワイヤーの側方に向けて納めることができ、かつロックピンを軸としてインロック部材を回動させることでインロック部材がカバー部材として機能する。
【００１１】
略Ｃ型断面のインロック部材は外面が滑らかな曲面をなすためブラケットの装着状態においてに患者の舌先を傷つける恐れがない。なお、インロック部材の外周面には操作用の突起を設けてもよい。
【００１２】
また、矯正用のワイヤーと併用して、あるいは矯正用のワイヤーの代わりに、ゴム製などのパワーチェーンを用いる場合のために、ベース部材の底板部の一側にパワーチェーンの孔部を係止するための係止突起を設けてもよい。
【考案の効果】
【００１３】
本考案の歯列矯正装置は、矯正用のワイヤーをブラケットの頂部に対し、ワイヤーの側方に向けて嵌め込むことができるため、審美目的で行われる裏側矯正においても、ワイヤーの装着を容易に行うことができる。
【００１４】
矯正用のワイヤーをロックピンの内側に嵌め込んだ後、インロック部材を回動させることでインロック部材がカバー部材として機能し、インロック部材は外面が滑らかな曲面をなすためブラケットの装着状態においてに患者の舌先を傷つける恐れがない。
【００１５】
製作において鋳型が不要であるため、従来の鋳造品に比べ安価に製造することができる。
【図面の簡単な説明】
【００１６】
【図１】(a)は施術前の歯列を表から見た図、(b)は施術前の歯列を裏から見た図、(c)は本考案の歯列矯正装置を用いて施術した後の歯列を表から見た図、(d)は同じく施術した後の歯列を裏から見た図である。
【図２】本考案の歯列矯正装置の一実施形態を示す斜視図である。
【図３】図２の実施形態に対応する分解斜視図である。
【図４】本考案の歯列矯正装置の他の実施形態を示す分解斜視図である。
【図５】金属ブラケットを用いた歯列矯正装置の従来例を示した斜視図である。
【考案を実施するための形態】
【００１７】
以下、本考案の歯列矯正装置の実施形態について、図面を参照して説明する。ただし、本考案は以下の実施形態に限定されるものではない。
【００１８】
図１は、本考案の歯列矯正装置を施術する前と施術した後の状態を概略的に示したものである。
【００１９】
図１(a)及び(b)は本装置の施術前、すなわち装置を装着していない状態であり、歯並びが不揃いになっている。
【００２０】
図１(c)及び(d)は本装置の施術後、すなわち装置を装着した状態であり、図１(c)に示すようにブラケット２及びワイヤーｗは歯の裏に隠れ、表からは見えない。
【００２１】
矯正用のワイヤーｗには記憶合金が用いられ、ブラケット２間に目標とする矯正後の歯列に合わせたワイヤーｗが架設されることで、装着時に変形したワイヤーｗが元の形状に戻ろうとする力で歯列が徐々に矯正されて行く。
【００２２】
図２は、本考案の歯列矯正装置の一実施形態を示す斜視図であり、図３は装置の分解斜視図である。
【００２３】
本実施形態におけるブラケット２は大きく分けて、ベース部材３、ロックピン６、インロック部材７の３つの部材からなる。
【００２４】
ベース部材３は、歯の裏面に接着される底板部４と、その底板部４の両端部から立ち上がる一対の支持壁５とからなり、支持壁５の頂部にロックピン６の両端部が嵌合されるピン溝８が形成されている。
【００２５】
ピン溝８は支持壁５の頂部で開口し、その開口部８ａに続いて開口部８ａより広幅の半円状のピン孔８ｂが形成されている。
【００２６】
ロックピン６は略Ｃ型断面の半筒状の部材からなり、ブラケット２の製作においては、別途、製作されたベース部材３のピン溝８のピン孔８ｂに対し支持壁５の側方から長手方向に挿入するようになっている。
【００２７】
インロック部材７は、内面がロックピン６の外面に軸回りに回動可能な略Ｃ型断面の部材からなり、略Ｃ型断面の開口幅がロックピン６の外径より小さい幅となっている。また、インロック部材７の長さはロックピン６より短く、ベース部材３の両端の支持壁５間に納まる寸法となっている。
【００２８】
ベース部材３と、ロックピン６及びインロック部材７の組み立ては、インロック部材７の両端をベース部材３の両端の支持壁５間に位置させ、ロックピン６を一方の支持壁５の外側からピン孔８ｂに通し、インロック部材７の内側を通して他方の支持壁５のピン孔８ｂまで差し込むことによって行う。その状態で支持壁５の上部をかしめるなどしてロックピン６が抜け出さないようにする。なお、かしめる代わりに、接着、溶接など他の固定手段を用いてもよい。
【００２９】
上述のように、支持壁５の頂部の開口部８ａの幅はロックピン６の外径より小さい幅となっており、ピン孔８ｂの形状をロックピン６の外形に合わせて形成させることで、かしめる前においてもロックピン６の回転や開口部８ａからの抜け出しはない。
【００３０】
また、上述のようにインロック部材７の略Ｃ型断面の開口幅がロックピン６の外径より小さい幅となっていることから、組立て状態において、インロック部材７が外れることもない。
【００３１】
矯正用の記憶合金からなるワイヤーｗの装着は、ロックピン６とインロック部材７の略Ｃ型断面の開口部を合わせた状態で開口部の側方からワイヤーｗをロックピン６の内側に嵌め込むことができ、ロックピン６の内側がワイヤースロットの働きをする。
【００３２】
その状態から、インロック部材７をロックピン６を軸として軸回りに回動させることで、インロック部材７の滑らかな外周面がワイヤーｗを覆うことになり、患者の舌先を傷つけるのを防止することができる。
【００３３】
本実施形態において、インロック部材７の外周面には操作用の突起７ａが設けられており、この突起７ａを利用してインロック部材７の回動を容易に行うことができる。また、インロック部材７の略Ｃ型断面の開口部の一端に膨出させた形状の当部７ｂを設け、この当部７ｂの外面側がベース部材３に設けたストッパー４ａの内面側に弾性的に当接することで、インロック部材７がワイヤーｗを覆って閉じた状態から簡単に開いてしまうのを防止できるようになっている。
【００３４】
図４は、本考案の歯列矯正装置の他の実施形態を示す分解斜視図である。
【００３５】
本実施形態におけるブラケット１２も大きく分けて、ベース部材１３、ロックピン１６、インロック部材１７の３つの部材からなり、基本的な構成は図２、図３の実施形態と同じである。
【００３６】
ベース部材１３は、歯の裏面に接着される底板部１４と、その底板部１４の両端部から立ち上がる一対の支持壁１５とからなり、支持壁１５の頂部にロックピン１６の両端部が嵌合されるピン溝１８が形成されている。
【００３７】
ピン溝１８は支持壁１５の頂部で開口し、その開口部１８ａに続いて開口部１８ａより広幅の半円状のピン孔１８ｂが形成されている。
【００３８】
ロックピン１６は略Ｃ型断面の半筒状の部材からなり、ブラケット１２の製作においては、別途、製作されたベース部材１３のピン溝１８のピン孔１８ｂに対し支持壁１５の側方から長手方向に挿入するようになっている。
【００３９】
インロック部材１７は、内面がロックピン１６の外面に軸回りに回動可能な略Ｃ型断面の部材からなり、略Ｃ型断面の開口幅がロックピン１６の外径より小さい幅となっている。また、インロック部材１７の長さはロックピン１６より短く、ベース部材１３の両端の支持壁１５間に納まる寸法となっている。
【００４０】
ベース部材１３と、ロックピン１６及びインロック部材１７の組み立ては、インロック部材１７の両端をベース部材１３の両端の支持壁１５間に位置させ、ロックピン１６を一方の支持壁１５の外側からピン孔１８ｂに通し、インロック部材１７の内側を通して他方の支持壁１５のピン孔１８ｂまで差し込むことによって行う。その状態で支持壁１５の上部をかしめるなどしてロックピン１６が抜け出さないようにする。かしめる代わりに、接着、溶接など他の固定手段を用いてもよい。
【００４１】
支持壁１５の頂部の開口部１８ａの幅はロックピン１６の外径より小さい幅となっており、ピン孔１８ｂの形状をロックピン１６の外形に合わせて形成させることで、かしめる前においてもロックピン１６の回転や開口部１８ａからの抜け出しはない。
【００４２】
また、インロック部材１７の略Ｃ型断面の開口幅がロックピン１６の外径より小さい幅となっていることから、組立て状態において、インロック部材１７が外れることもない。
【００４３】
矯正用の記憶合金からなるワイヤーｗの装着は、ロックピン１６とインロック部材１７の略Ｃ型断面の開口部を合わせた状態で開口部の側方からワイヤーｗをロックピン１６の内側に嵌め込むことができ、ロックピン１６の内側がワイヤースロットの働きをする。
【００４４】
その状態から、インロック部材１７をロックピン１６を軸として軸回りに回動させることで、インロック部材１７の滑らかな外周面がワイヤーｗを覆うことになり、患者の舌先を傷つけるのを防止することができる。
【００４５】
本実施形態において、インロック部材１７の外周面には操作用の突起１７ａが設けられており、この突起１７ａを利用してインロック部材１７の回動を容易に行うことができる。また、インロック部材１７の略Ｃ型断面の開口部の一端に膨出させた形状の当部１７ｂを設け、この当部１７ｂの外面側がベース部材１３に設けたストッパー１４ａに当接するようになっている。なお、当部１７ｂとストッパー１４ａを、図２、図３の実施形態の場合と同様に弾性的に当接して、インロック部材７が簡単に開いてしまうのを防止ような形態としてもよい。
【００４６】
本実施形態においては、さらにベース部材１３の底板部１４の一側にゴム製のパワーチェーンｐの孔部を係止するための係止突起１４ｂが設けられており、パワーチェーンｐを矯正用のワイヤーｗと併用して、あるいは矯正用のワイヤーｗの代わりに使用できるようにしてある。
【符号の説明】
【００４７】
１…歯列矯正装置、２…ブラケット、３…ベース部材、４…底板部、４ａ…ストッパー、５…支持壁、６…ロックピン、７…インロック部材、７ａ…操作用突起、７ｂ…当部、８…ピン溝、８ａ…開口部、８ｂ…ピン孔、
１１…歯列矯正装置、１２…ブラケット、１３…ベース部材、１４…底板部、１４ａ…ストッパー、１４ｂ…係止突起、１５…支持壁、１６…ロックピン、１７…インロック部材、１７ａ…操作用突起、１７ｂ…当部、１８…ピン溝、１８ａ…開口部、１８ｂ…ピン孔、
２１…歯列矯正装置（従来例）、２２…ブラケット、２３…ベース部材、２４…底板部、２５…支持壁、２７…カバー部材、２８…貫通孔
ｗ…ワイヤー、ｐ…パワーチェーン
【図１】
0003205166.tif 000003
【図２】
0003205166.tif 000004
【図３】
0003205166.tif 000005
【図４】
0003205166.tif 000006
【図５】
0003205166.tif 000007